(57)【要約】【課題】  ＨＤＤと光ディスクドライブを有するハイブリッドＡＶレコーダで光ディスクの記録容量を超える映像データを簡単にコピーする。【解決手段】  記録再生装置で映像データを光ディスク記録容量以下のデータに分割し、順次コピーしていく。分割点は映像データの前後で相関の低い箇所を選択する。  また、分割記録したことを示す識別信号を光ディスクに付加し、分割記録識別信号を検出した場合、光ディスクドライブで光ディスクを先読みしたデータをＨＤＤに記録し、先読み終了後にはＨＤＤよりデータを再生し、かつ再生中に映像データを表示している画面、あるいは記録再生装置に設けた表示装置から次の分割記録した光ディスクの装着を促す表示を行い、ＨＤＤによる再生が終了する前に光ディスクが交換された際には、次の光ディスクのデータを再生することで、映像を継ぎ目なく再生する。【選択図】  図１
2007184013.tif 000002
【特許請求の範囲】
【請求項１】
可換型記録媒体に対して記録再生を行う第１の記録再生手段と、
非可換型記録媒体に対して記録再生を行う第２の記録再生手段を有し、
前記第１の記録再生手段で使用する可換型記録媒体の記録容量は、前記第２の記録再生手段用非可換型記録媒体の記録容量より少なく、
前記第１および第２の記録再生手段は映像を含むデータを記録再生する記録再生装置において、
前記可換型記録媒体の記録容量より大きい容量のデータが前記非可換型記録媒体に記録されており、前記データを前記可換型記録媒体にコピーまたは移動する場合、前記可換型記録媒体の記録容量より少ない単位に前記データを分割し、分割した各データを複数の可換型記録媒体に分割して記録することを特徴とした記録再生装置。
【請求項２】
請求項１記載の記録再生装置において、データを分割する際、データの一部が重複するように前後のデータを分割し、複数のディスク間で一部のデータが重複するようにコピーまたは移動したことを特徴とした記録再生装置。
【請求項３】
請求項１記載の記録再生装置において、前記データの分割点は前後の映像の相関関係が低い箇所を選択することを特徴とした記録再生装置。
【請求項４】
請求項３記載の記録再生装置において、前記データに映像データと音データが含まれている場合、分割点は前後の画像の相関関係が低く、かつ音レベルが低い箇所を選択することを特徴とした記録再生装置。
【請求項５】
請求項１記載の記録再生装置において、ユーザがデータの分割点を選択することを特徴とした記録再生装置。
【請求項６】
請求項５記載の記録再生装置において、ユーザが選択したデータの分割点の近傍を検索し、前後の映像の相関関係が低い点を実際の分割点にしたことを特徴とした記録再生装置。
【請求項７】
請求項１記載の記録再生装置において、分割記録したことを示す識別信号を前記記録媒体に付加することを特徴とした記録再生装置。
【請求項８】
請求項７記載の記録再生装置において、前記可換型記録媒体を再生し前記分割記録識別信号を検出した場合、映像データの再生が終了した時点で次の記録媒体の装着を促す表示を、映像データを表示している画面、あるいは記録再生装置に設けた表示装置により行うことを特徴とした記録再生装置。
【請求項９】
請求項７記載の記録再生装置において、前記分割記録した可換型記録媒体を再生し前記分割記録識別信号を検出した場合、
前記第１の記録再生手段で前記可換型記録媒体を先読みし、先読みしたデータを前記第２の記録再生手段に記録し、
先読み終了後には前記第２の記録再生手段よりデータを再生し、
映像データを表示している画面、あるいは記録再生装置に設けた表示装置から次の分割記録した可換型記録媒体の装着を促す表示を行い、
前記第２の記録再生手段による再生が終了する前に記録媒体が交換された際には、次の可換型記録媒体のデータを再生することで、映像を継ぎ目なく再生することを特徴とした記録再生装置。
【請求項１０】
請求項１乃至９記載のいずれか一つの記録再生装置は、記録媒体を複数収納できるストッカと、収納された記録媒体を選択して装脱着する記録媒体交換機構を有しており、
あらかじめ使用する可換型記録媒体を前記ストッカに収納しておき、記録再生中の記録媒体の交換作業は前記記録媒体交換機構が前記ストッカ内から行うことを特徴とした記録再生装置。
【発明の詳細な説明】
【技術分野】
【０００１】
本発明は可換型記録媒体を記録再生する記録再生ドライブと、非可換型記録媒体に記録再生する記録再生ドライブを有したハイブリッド型記録再生装置に関するものである。
【背景技術】
【０００２】
近年では、大容量ハードディスクドライブ（以下ＨＤＤ）と、ＤＶＤに代表される可換型光ディスクドライブを搭載したハイブリッド型ＡＶレコーダが製品化されている。ハイブリッド型ＡＶレコーダ技術の一例として特許文献１があげられる。こうしたハイブリッド型ＡＶレコーダの使い方として、視聴した後不要になる映像データはＨＤＤを利用して視聴後に消去し、映像データを保存する場合は単価が安く追加購入可能な光ディスクに記録する方法が挙げられる。しかし光ディスクに記録する場合でも、ＨＤＤに記録した後光ディスクにコピーや移動する方法を利用することが多い。
【０００３】
【特許文献１】特開２００５−１７４３９０号公報
【発明の開示】
【発明が解決しようとする課題】
【０００４】
光ディスクは安価で可換型であり、後から複数追加購入することで容量を増やすことが可能であるが、１枚あたりの記録容量は内蔵されたＨＤＤよりも少ない。
【０００５】
一方、映像データを高画質に記録するために記録時の圧縮率を低くしたり、デジタル放送のような高ビットレートの映像を記録した場合、記録したデータ容量が大きくなっている。こうした場合、ＨＤＤには記録できたデータが光ディスクの記録容量より大きくなっている状態が発生することがある。図８はこの状態を説明した図である。図８（ａ）はＨＤＤと光ディスクの容量を比較して示した図で、横方向の長さが記録容量を示している。こうした記録容量関係に対し図８（ａ）の下図斜線で示したような映像データがあった場合、このままでは光ディスクにコピーすることは出来ない。
【０００６】
この場合、光ディスクにデータを保存するためには図８（ｂ）に示すようにユーザがデータを分割して光ディスクの記録容量に収まるようにし、複数の光ディスクに記録する方法や、図８（ｃ）に示すように映像データを再エンコード処理して記録レートを落として光ディスク容量より小さくする方法がある。こうした方法では、ユーザは分割処理作業した上で複数回データのコピー処理を行う必要があったり、記録レートを落とすことで画像が劣化したデータを記録することになる。
【０００７】
また、大容量光ディスクの開発も行われているが、普及価格帯まで安価になった主流の光ディスクに対してまだ高価である。
【課題を解決するための手段】
【０００８】
光ディスク容量より大きな映像データをＨＤＤから光ディスクにコピーまたは移動する場合、光ディスクの記録容量より少ない単位に映像データを分割し、分割した各データを複数の光ディスクに分割して記録する。
【０００９】
また、映像データを分割する際、データの一部が重複するように前後のデータを分割し、複数のディスク間で一部のデータが重複するように光ディスクにコピーまたは移動する。
【００１０】
また、データの分割点は前後の映像の相関関係が低い箇所を選択する。
また、データに映像データと音データが含まれている場合、分割点は前後の画像の相関関係が低く、かつ音レベルが低い箇所を選択する。
【００１１】
また、ユーザが映像データの分割点を選択した場合、ユーザが選択した分割点の近傍を検索し、前後の映像の相関関係が低い点を実際の分割点とする。
【００１２】
また、分割記録したことを示す識別信号を光ディスクに付加する。
また、分割記録した光ディスクを再生し分割記録識別信号を検出した場合、映像データの再生が終了した時点で次の光ディスクの装着を促す表示を、映像データを表示している画面、あるいは記録再生装置に設けた表示装置により行う。
【００１３】
また、分割記録した光ディスクを再生し分割記録識別信号を検出した場合、光ディスクドライブで光ディスクを先読みしたデータをＨＤＤに記録し、先読み終了後にはＨＤＤよりデータを再生し、かつ再生中に映像データを表示している画面、あるいは記録再生装置に設けた表示装置から次の分割記録した光ディスクの装着を促す表示を行い、ＨＤＤによる再生が終了する前に光ディスクが交換された際には、次の光ディスクのデータを再生することで、映像を継ぎ目なく再生する。
【００１４】
また、光ディスクを複数収納できるストッカと、収納された光ディスクを選択して装脱着する記録媒体交換機構を搭載し、あらかじめ使用する光ディスクをストッカに収納しておき、記録再生中の記録媒体の交換作業は記録媒体交換機構が行う構成とする。
【発明の効果】
【００１５】
本発明により、１枚の光ディスク容量を超える映像データを簡単に複数の光ディスクに分割して記録することが出来る。
【発明を実施するための最良の形態】
【００１６】
以下に、本発明の実施の形態を説明する。
【実施例１】
【００１７】
本発明の実施例について図１〜図７を用いて説明する。図１は本発明の第１の実施例を示す記録再生装置の構成を示した図である。本実施例のディスク記録再生装置は、映像データや音声データを取り扱うＡＶレコーダであり、かつ可換型光ディスクに対応した光ディスクドライブと内蔵型ＨＤＤを搭載したハイブリット型レコーダを想定している。記録再生装置１は、光ディスクドライブ２、ＨＤＤ３の２種類の記録再生手段のほか、記録再生装置１を制御する制御部４、データをエンコード／デコードするエンコーダ／デコーダ５、データを一時的に記録するバッファメモリ６、外部に対して入出力を行う外部入出力７、表示装置２６などを有している。表示装置２６は文字が表示可能なパネルでも、ＬＥＤ等のＯＮ／ＯＦＦ表示でもよく、ユーザに対して記録再生装置の状態を示すことが出来ればよい。また、ＡＶレコーダであるため外部入出力７を通して外部モニタ２３で、映像を表示することが出来る。
【００１８】
ところで一般に、ＨＤＤは光ディスクドライブに比べ大容量であり、かつアクセス時間も早いため使い勝手がよい。一方光ディスクは可換型媒体であるため、後から買い足すことで容量を追加することが容易である。このためハイブリッド型レコーダの使い方として、一度ＨＤＤに映像データを記録して、視聴後不要な映像は消去し、保存したい映像は光ディスクにコピーして保存する使い方が便利である。
【００１９】
本発明では、ＨＤＤに記録したデータが光ディスクの記録容量より大きい場合でも、簡単にコピーする方法を提供する。図２により、本実施例の記録再生装置の機能について説明する。図２（ａ）上図は、ＨＤＤと光ディスクの容量を比較して示した図で、横方向の長さが記録容量を示している。こうした記録容量関係に対し図８（ａ）の下図斜線で示したような映像データがあった場合、このままでは光ディスクの記録容量を超えておりコピーすることは出来ない。本実施例では、コピーするデータの容量と光ディスクの記録容量を比較し、データ容量が大きい場合は図２（ｂ）に示すようにデータを光ディスクの記録容量以下の単位に自動的に分割してコピー処理を行う。なお、分割前後でのデータの欠損が起きるのを防ぐため図２（ｃ）に示すように分割するデータは、前後データでオーバラップする部分を作ることにより信頼性をあげることが出来る。これにより、分割されたデータは一部が複数の光ディスクに重複されてコピーされることになる。
【００２０】
図３に、本実施例の処理フローについて説明する。処理開始（８）後、最初に光ディスクの記録容量とコピーするデータ容量を比較する（９）。コピーするデータ容量が光ディスク容量より小さい場合、そのままデータコピーを行い（１４）すべてのコピーを終了後（１５）、処理終了（１７）となる。データ容量が光ディスク容量より大きい場合は、記録再生装置の表示装置や、外部モニタで分割記録が必要なことをユーザに報告する（１０）。そしてユーザは分割記録を行ってコピーする／しないの判断を行い記録再生装置へ指示をする（１１）。分割記録をしない場合は処理を終了するが、分割記録を行う選択をした場合、分割記録中である表示を表示装置あるいは外部モニタ上で行う（１２）。次にデータを光ディスク容量以下に分割処理し（１３）、光ディスクにコピーを行う（１４）。光ディスクへの記録が終了したら、分割データのすべてがコピーされたかを判断し（１５）、まだ残っている場合は次のデータのコピーを行う。この場合、表示装置あるいは外部モニタに次の光ディスクの装着を促す表示を行い（１６）、ユーザが新しい光ディスクに交換してからコピーを行う。この処理を繰り返し、すべてのデータコピーが終了した時点ですべての処理は終了となる（１７）。以上の方法でデータの分割処理を記録再生装置が自動で行うため、ユーザは簡単に大容量データのコピーが出来る。
【００２１】
次に、映像データを分割するポイントについて図４で説明する。図４（ａ）は映像データをフレーム単位で時間軸上に並べたものを示した図で、各フレームが１８ａ、１８ｂ、１８ｃ・・・のようにつながって映像を形成していることを示している。映像データは前後の相関性が高く、シーンが変わった時にその相関性が一時的に低下する。図４（ａ）では連続的な映像データ１９の後、シーンが変わり連続的な映像データ２０が続いている。この場合映像データ１９内および映像データ２０内ではデータの相関性は高く、シーンの切り替わりでは相関性が低くなっている。よって分割ポイント２１を前後の映像データの相関性が低い箇所に設定することでシーンの切り替わりで映像データを分割でき、視聴時の違和感をなくすことが出来る。また、データに映像データと音声データがある場合、シーンの切り替わりでは音声レベルも小さくなるため、映像の相関性に加え、音声レベルが低下した箇所を選ぶことでより精度のよい分割を行うことが出来る。
【００２２】
また、映像データを分割し、オーバーラップを設ける場合、図４（ｂ）に示すように、分割ポイント前の映像データは分割ポイントまでとし、分割ポイント後の映像データは分割ポイント前の映像データ１９ａを含めるようにする。このようにすることで前の光ディスクを視聴したときに、シーンの切れ目で再生が終了し、違和感を少なくすることが出来る。また次の光ディスクはオーバーラップ分も再生するので、前のシーンを思い出すことが出来、ひき続きスムーズに視聴できる。
【００２３】
ところで、映像データの分割において映像データの分割ポイントのみユーザがマニュアルで設定しておいてもよい。映像データを複数の光ディスクに分割するので、ユーザが分割ポイントを設定することで好みの分割が可能になる。ところでユーザが分割ポイントを設定した場合、図５（ａ）に示すようにシーンの切れ目つまり映像の前後の相関が低い位置を選択すると考えられる。しかしこれを詳細に見た場合、図５（ｂ）上図に示すように分割ポイント２１が映像データ１９と映像データ２０の切れ目に正確にあっていない場合があり、この光ディスクを再生すると映像の最後に次のシーンの最初部分が一瞬表示されることになったり、シーンの最後が途切れてしまったりと違和感のある映像になることがある。これを防ぐために、本実施例ではユーザが分割ポイントを設定した場合、図５（ｂ）下図に示すように、その前後の映像データを検索し相関性の低い位置に修正分割ポイント２２を設定し、このポイントで分割することにより対応する。
【００２４】
ところで、本機能により光ディスクに分割記録を行った場合、光ディスク内に分割記録を行ったことがわかる独自の識別信号を埋め込むことで、光ディスク再生時に使い勝手の向上が可能になる。
【００２５】
分割記録を行った光ディスクを再生し識別信号を認識した場合、再生終了した時に記録再生装置の表示装置あるいは外部モニタに、次のディスクの装着を促す表示を出すことで、ユーザは次の光ディスクがあることがわかり続けて映像データを視聴することが出来る。
【００２６】
さらに映像データを再生時、映像データの記録ビットレートより光ディスクドライブからの読み出し速度のほうが速い場合は、映像再生しながら光ディスク上のデータを先読みし、映像表示が終わる前に光ディスク上のデータを最後まで一時的にＨＤＤに記録する。そして、映像データの再生をＨＤＤからのデータに切り替える一方で、図６（ａ）に示す外部モニタや図６（ｂ）に示す記録再生装置２５の表示装置２６に、次のディスクの装着を促す表示を出す。ＨＤＤからの再生が終了する前に光ディスクが交換された場合、ＨＤＤからの再生が終了した後光ディスクから再生することで映像を途切れなく視聴することが出来る。
【００２７】
なお、これらの実施例では、大容量データでも簡単に複数の光ディスクに分割してコピーできるが、記録再生中の光ディスクの交換はユーザが行う必要がある。これに対し複数の光ディスクをあらかじめ記録再生装置に装着しておき、記録再生装置側で必要な光ディスクを選択、交換する機能を付加して記録／再生することで、より利便性が向上する。例えば図７に示すように、複数の光ディスクを収納できるストッカ２７に光ディスク２８ａ〜２８ｄをセットしておき、ストッカ２７を記録再生装置２５に装着する。記録再生装置２５は図示していないがディスク交換機構を内部に搭載しており、ストッカ２７内の光ディスクを自動的に交換して記録再生することでよりユーザの利便性を上げることが出来る。
【図面の簡単な説明】
【００２８】
【図１】本発明の実施例を示した図で、記録再生装置の構成を説明した図である。
【図２】本発明の実施例を示した図で、ＨＤＤと光ディスクの記録容量および、取り扱う映像データ容量について説明した図である。
【図３】本発明の実施例を示した図で、ＨＤＤから光ディスクにデータをコピーする時のフローチャートを説明した図である。
【図４】本発明の実施例を示した図で、映像データの分割ポイントについて説明した図である。
【図５】本発明の実施例を示した図で、ユーザが映像データの分割ポイントを選択した際の修正分割ポイントについて説明した図である。
【図６】本発明の実施例を示した図で、分割記録した光ディスクを再生する際の次ディスク要求表示について説明した図である。
【図７】本発明の実施例を示した図で、光ディスクを複数枚収納し、自動交換する機能について説明した図である。
【図８】従来のＡＶレコーダで光ディスク容量を超えるデータをコピーする時の手順について説明した図である。
【符号の説明】
【００２９】
１…記録再生装置、２…光ディスクドライブ、３…ＨＤＤ、４…制御部、
５…エンコーダ／デコーダ、６…バッファメモリ、７…外部入出力、
８〜１７…フローチャート説明図、１８…映像データ、１９、１９ａ…映像データＡ、
２０…映像データＢ、２１…ユーザ選択分割ポイント、２２…修正分割ポイント、
２３…外部モニタ、２４…表示、２５…記録再生装置、２６…記録再生装置表示装置、
２７…ディスクストッカ、２８ａ〜２８ｄ…光ディスク。
【図１】
2007184013.tif 000003
【図２】
2007184013.tif 000004
【図３】
2007184013.tif 000005
【図４】
2007184013.tif 000006
【図５】
2007184013.tif 000007
【図６】
2007184013.tif 000008
【図７】
2007184013.tif 000009
【図８】
2007184013.tif 000010